(57)【要約】【課題】表紙を閉じる状態に表紙を閉じて表紙を仮固定しやすい、バインダーを提供する。【解決手段】この発明にかかるバインダーは、背表紙１０６と前記背表紙１０６の一方端に設けられた表表紙１０２と前記背表紙１０６の他方端に設けられた裏表紙１０４とを有する表紙１００、及び前記表紙１００に設けられた綴じ具１０を含むバインダーであって、前記表紙１００を閉じた状態で前記表紙１００が開きにくいように前記表紙１００を仮固定するための係合手段８２，１２２、及び前記表紙１００を閉じた状態で前記表紙１００が開きにくいように前記表紙１００を仮固定しやすくするために、前記係合手段８２，１２２を案内するための案内手段９０，１３０を有する。【選択図】図１
2014094516.tif 000002
【特許請求の範囲】
【請求項１】
背表紙と前記背表紙の一方端に設けられた表表紙と前記背表紙の他方端に設けられた裏表紙とを有する表紙、及び
前記表紙に設けられた綴じ具を含むバインダーであって、
前記表紙を閉じた状態で前記表紙が開きにくいように前記表紙を仮固定するための係合手段、及び
前記表紙を閉じた状態で前記表紙が開きにくいように前記表紙を仮固定しやすくするために、前記係合手段を案内するための案内手段を有する、バインダー。
【請求項２】
前記係合手段は、
前記綴じ具の一部分に設けられた第１連結手段、及び
前記表紙において前記表紙を閉じた際に前記綴じ具の前記一部分に設けられた前記第１連結手段に対向する部分に設けられ、前記第１連結手段に近接することによって前記第１連結手段と互いに係合する第２連結手段を含み、
前記案内手段は、前記表紙を閉じた状態で前記表紙が開きにくいように前記表紙を仮固定しやすくするために、前記表紙を閉じた際に前記第１連結手段及び前記第２連結手段が係合するように前記第１連結手段及び前記第２連結手段を案内するための案内部材を含む、請求項１に記載のバインダー。
【請求項３】
前記綴じ具の第１連結手段の係合手段は、綴じ具の上面に形成された連結係止部を備え、
前記表紙の第２連結手段の係合手段は、前記第１連結手段の連結係止部に係合するための連結係止部を備え、
第１連結手段の係合手段と第２連結手段の係合手段とを係合させたとき、第１連結手段の連結係止部が第２連結手段の連結係止部との間において係止され、
前記案内手段は、前記第１連結手段の連結係止部を前記第２連結手段の連結係止部に係合させるために第１連結手段を第２連結手段の上を摺動させて移動させるとき、
第１連結手段と第２連結手段とが引っ掛かることなく、第１連結手段の案内手段を第２連結手段の案内手段の上を摺動させて、係合手段を構成する連結係止部が係止されるように構成された、請求項１又は請求項２に記載のバインダー。
【請求項４】
前記綴じ具の第１連結手段の係合手段は、綴じ具の上面に形成された突条部又は凹条部を備え、
前記表紙の第２連結手段の係合手段は、前記第１連結手段の突条部又は凹条部に係合するための凹条部又は突条部を備え、
前記案内手段は、前記第１連結手段の突条部又は凸条部を前記第２連結手段の凹条部又は突条部に係合させるために第１連結手段を第２連結手段の上を摺動させて移動させるとき、前記第１連結手段の突条部又は凹条部と前記第２連結手段の凹条部又は突条部とが引っ掛からないように、第１連結手段の突条部及び／又は第２連結手段の突条部の高さに対応して変更され、
案内手段の案内凸条は、第１連結手段の係合手段と第２連結手段の係合手段とを合わせた高さより高い案内凸条で形成されるか、若しくは、案内手段の案内凸条は、第１連結手段及び／又は第２連結手段の係合手段より高い案内凸条で形成されて、
又は、案内手段の案内凸条は、第１連結手段の係合手段が突条部であって第２連結手段の係合手段が凹条部の場合あるいは第１連結手段の係合手段が凹条部であって第２連結手段の係合手段が凸条部の場合において、係合手段の突条部よりも高い案内凸条で形成されて、若しくは、案内手段の案内凸条は、第１連結手段の係合手段及び第２連結手段の係合手段が突条部であって、第１連結手段の突条部よりも高い案内凸条を形成され且つ第２連結手段の突条部より高い案内凸条を形成されて、
第１連結手段の突条部と第２連結手段の突条部とが引っ掛かることなく、第１連結手段の案内手段を第２連結手段の案内手段の上を摺動させて、第１連結手段の係合手段と第２連結手段の係合手段とを係合されるように構成された、請求項１ないし請求項３のいずれかに記載のバインダー。
【請求項５】
前記第１連結手段の案内手段は、第１の突条部の外側の近傍において押え板の主面側から突設された第１の案内凸条であり、
前記第２連結手段の案内手段は、第２の突条部の外側の近傍において表紙の内面側から突設された第２の案内凸条であり、
第１の案内凸条は、第１の係合手段を第２の係合手段に係合させるときに、第２の案内凸条に重なり合って摺動するように構成された、請求項１ないし請求項４のいずれかに記載のバインダー。
【請求項６】
前記綴じ具の第１連結手段の係合手段は、綴じ具の上面に形成された、第１の突条部と、前記突条部の内側に形成された収容部とを備え、
前記表紙の第２連結手段の係合手段は、前記第１連結手段の第１の突条部に係合するための第２の突条部と、前記第２の突条部に対向して、適宜な間隔をおいて形成された第３の突条部とを備え、
第１連結手段の係合手段と第２連結手段の係合手段とを係合させたとき、第１の突条部が第２の突条部と第３の突条部との間において係合され、第３の突条部は収容部に収容されるように形成され、
前記案内手段は、第１の突条部、第２の突条部及び第３の突条部より高く突設され、
第１の突条部、第２の突条部及び第３の突条部が接触することなく、第１連結手段の案内手段を第２連結手段の案内手段の上を摺動させて、係合手段が係合されるように構成された、請求項１ないし請求項５のいずれかに記載のバインダー。
【請求項７】
第１の突条部は、第１連結手段の第１の係合手段を第２連結手段の第２の係合手段に係合させるために、第２連結手段が第１連結手段の上を摺動して移動する方向において、第１の案内手段の摺動終端部より移動する方向に向いて突き出ており、
第２の案内手段の摺動終端部は、第１連結手段の第１の係合手段を第２連結手段の第２の係合手段に係合させるために、第２連結手段が第１連結手段の上を摺動して移動する方向において、第２の突条部と横に並んで略々揃い、
第１の案内手段及び第２の案内手段の存在しない位置において、第１の突条部は、第２の突条部に係合されるように構成された、請求項５又は請求項６に記載のバインダー。
【発明の詳細な説明】
【技術分野】
【０００１】
この発明はバインダーに関し、特に表紙及び表紙に取り付けられた綴じ具を有し、たとえば綴穴付きリーフを綴じ込むことができるバインダーに関する。
【背景技術】
【０００２】
従来のバインダーの一例が、例えば実公昭５９−７１０４号公報（特許文献１参照）に開示されている。特許文献１に開示されているバインダーは、表表紙、裏表紙及び背表紙からなる台紙における裏表紙に多数本の綴棒を起立保持させ、これら綴棒の各先端部にわたって掛止杆を抜挿自在に挿嵌してなるバインダーであって、綴棒に多数の紙片を綴込んだ場合においても紙片の押圧力により表紙が開き状にならないようにすることなどを目的として考え出されたものである。
【先行技術文献】
【特許文献】
【０００３】
【特許文献１】実公昭５９−７１０４号公報
【発明の概要】
【発明が解決しようとする課題】
【０００４】
ところが、特許文献１に開示されているバインダーでは、台紙ないしは表紙を閉じた状態で表紙を仮固定しにくい。
【０００５】
それゆえに、この発明の主たる目的は、表紙を閉じる状態に表紙を閉じて表紙を仮固定しやすい、バインダーを提供することである。
【課題を解決するための手段】
【０００６】
この発明にかかるバインダーは、背表紙と前記背表紙の一方端に設けられた表表紙と前記背表紙の他方端に設けられた裏表紙とを有する表紙、及び前記表紙に設けられた綴じ具を含むバインダーであって、前記表紙を閉じた状態で前記表紙が開きにくいように前記表紙を仮固定するための係合手段、及び前記表紙を閉じた状態で前記表紙が開きにくいように前記表紙を仮固定しやすくするために、前記係合手段を案内するための案内手段を有する、バインダーである。
この発明の請求項２にかかるバインダーは、前記係合手段は、前記綴じ具の一部分に設けられた第１連結手段、及び前記表紙において前記表紙を閉じた際に前記綴じ具の前記一部分に設けられた前記第１連結手段に対向する部分に設けられ、前記第１連結手段に近接することによって前記第１連結手段と互いに係合する第２連結手段を含み、前記案内手段は、前記表紙を閉じた状態で前記表紙が開きにくいように前記表紙を仮固定しやすくするために、前記表紙を閉じた際に前記第１連結手段及び前記第２連結手段が係合するように前記第１連結手段及び前記第２連結手段を案内するための案内部材を含む、請求項１に記載のバインダーである。
この発明の請求項３にかかるバインダーにおいては、前記綴じ具の第１連結手段の係合手段は、綴じ具の上面に形成された連結係止部を備え、前記表紙の第２連結手段の係合手段は、前記第１連結手段の連結係止部に係合するための連結係止部を備え、第１連結手段の係合手段と第２連結手段の係合手段とを係合させたとき、第１連結手段の連結係止部が第２連結手段の連結係止部との間において係止され、前記案内手段は、前記第１連結手段の連結係止部を前記第２連結手段の連結係止部に係合させるために第１連結手段を第２連結手段の上を摺動させて移動させるとき、第１連結手段と第２連結手段とが引っ掛かることなく、第１連結手段の案内手段を第２連結手段の案内手段の上を摺動させて、係合手段を構成する連結係止部が係止されるように構成された、請求項１又は請求項２に記載のバインダーである。
この発明の請求項４にかかるバインダーにおいては、前記綴じ具の第１連結手段の係合手段は、綴じ具の上面に形成された突条部又は凹条部を備え、前記表紙の第２連結手段の係合手段は、前記第１連結手段の突条部又は凹条部に係合するための凹条部又は突条部を備え、前記案内手段は、前記第１連結手段の突条部又は凸条部を前記第２連結手段の凹条部又は突条部に係合させるために第１連結手段を第２連結手段の上を摺動させて移動させるとき、前記第１連結手段の突条部又は凹条部と前記第２連結手段の凹条部又は突条部とが引っ掛からないように、第１連結手段の突条部及び／又は第２連結手段の突条部の高さに対応して変更され、案内手段の案内凸条は、第１連結手段の係合手段と第２連結手段の係合手段とを合わせた高さより高い案内凸条で形成されるか、若しくは、案内手段の案内凸条は、第１連結手段及び／又は第２連結手段の係合手段より高い案内凸条で形成されて、又は、案内手段の案内凸条は、第１連結手段の係合手段が突条部であって第２連結手段の係合手段が凹条部の場合あるいは第１連結手段の係合手段が凹条部であって第２連結手段の係合手段が凸条部の場合において、係合手段の突条部よりも高い案内凸条で形成されて、若しくは、案内手段の案内凸条は、第１連結手段の係合手段及び第２連結手段の係合手段が突条部であって、第１連結手段の突条部よりも高い案内凸条を形成され且つ第２連結手段の突条部より高い案内凸条を形成されて、第１連結手段の突条部と第２連結手段の突条部とが引っ掛かることなく、第１連結手段の案内手段を第２連結手段の案内手段の上を摺動させて、第１連結手段の係合手段と第２連結手段の係合手段とを係合されるように構成された、請求項１ないし請求項３のいずれかに記載のバインダーである。
この発明の請求項５にかかるバインダーにおいては、前記第１連結手段の案内手段は、第１の突条部の外側の近傍において押え板の主面側から突設された第１の案内凸条であり、前記第２連結手段の案内手段は、第２の突条部の外側の近傍において表紙の内面側から突設された第２の案内凸条であり、第１の案内凸条は、第１の係合手段を第２の係合手段に係合させるときに、第２の案内凸条に重なり合って摺動するように構成された、請求項１ないし請求項４のいずれかに記載のバインダーである。
この発明の請求項６にかかるバインダーにおいては、前記綴じ具の第１連結手段の係合手段は、綴じ具の上面に形成された、第１の突条部と、前記突条部の内側に形成された収容部とを備え、前記表紙の第２連結手段の係合手段は、前記第１連結手段の第１の突条部に係合するための第２の突条部と、前記第２の突条部に対向して、適宜な間隔をおいて形成された第３の突条部とを備え、第１連結手段の係合手段と第２連結手段の係合手段とを係合させたとき、第１の突条部が第２の突条部と第３の突条部との間において係合され、第３の突条部は収容部に収容されるように形成され、前記案内手段は、第１の突条部、第２の突条部及び第３の突条部より高く突設され、第１の突条部、第２の突条部及び第３の突条部が接触することなく、第１連結手段の案内手段を第２連結手段の案内手段の上を摺動させて、係合手段が係合されるように構成された、請求項１ないし請求項５のいずれかに記載のバインダーである。
この発明の請求項７にかかるバインダーにおいては、第１の突条部は、第１連結手段の第１の係合手段を第２連結手段の第２の係合手段に係合させるために、第２連結手段が第１連結手段の上を摺動して移動する方向において、第１の案内手段の摺動終端部より移動する方向に向いて突き出ており、第２の案内手段の摺動終端部は、第１連結手段の第１の係合手段を第２連結手段の第２の係合手段に係合させるために、第２連結手段が第１連結手段の上を摺動して移動する方向において、第２の突条部と横に並んで略々揃い、第１の案内手段及び第２の案内手段の存在しない位置において、第１の突条部は、第２の突条部に係合されるように構成された、請求項５又は請求項６に記載のバインダーである。
【発明の効果】
【０００７】
この発明によれば、背表紙と前記背表紙の一方端に設けられた表表紙と前記背表紙の他方端に設けられた裏表紙とを有する表紙、及び前記表紙に設けられた綴じ具を含むバインダーであって、前記表紙を閉じた状態で前記表紙が開きにくいように前記表紙を仮固定するための係合手段、及び前記表紙を閉じた状態で前記表紙が開きにくいように前記表紙を仮固定しやすくするために、前記係合手段を案内するための案内手段を有するので、表紙を閉じる状態に表紙を閉じて表紙を仮固定しやすい、バインダーが得られる。
請求項２の発明によれば、前記係合手段は、前記綴じ具の一部分に設けられた第１連結手段、及び前記表紙において前記表紙を閉じた際に前記綴じ具の前記一部分に設けられた前記第１連結手段に対向する部分に設けられ、前記第１連結手段に近接することによって前記第１連結手段と互いに係合する第２連結手段を含み、前記案内手段は、前記表紙を閉じた状態で前記表紙が開きにくいように前記表紙を仮固定しやすくするために、前記表紙を閉じた際に前記第１連結手段及び前記第２連結手段が係合するように前記第１連結手段及び前記第２連結手段を案内するための案内部材を含むので、表紙を閉じる状態に表紙を閉じて表紙を仮固定しやすい、バインダーが得られる。
請求項３の発明によれば、前記綴じ具の第１連結手段の係合手段は、綴じ具の上面に形成された連結係止部を備え、前記表紙の第２連結手段の係合手段は、前記第１連結手段の連結係止部に係合するための連結係止部を備え、第１連結手段の係合手段と第２連結手段の係合手段とを係合させたとき、第１連結手段の連結係止部が第２連結手段の連結係止部との間において係止され、前記案内手段は、前記第１連結手段の連結係止部を前記第２連結手段の連結係止部に係合させるために第１連結手段を第２連結手段の上を摺動させて移動させるとき、第１連結手段と第２連結手段とが引っ掛かることなく、第１連結手段の案内手段を第２連結手段の案内手段の上を摺動させて、係合手段を構成する連結係止部が係止されるように構成されているので、第１連結手段の案内手段を第２連結手段の案内手段の上を摺動させて、係合手段が係合されるように案内して、第１連結手段と第２連結手段とを連結できる。
請求項４の発明によれば、前記綴じ具の第１連結手段の係合手段は、綴じ具の上面に形成された突条部又は凹条部を備え、前記表紙の第２連結手段の係合手段は、前記第１連結手段の突条部又は凹条部に係合するための凹条部又は突条部を備え、前記案内手段は、前記第１連結手段の突条部又は凸条部を前記第２連結手段の凹条部又は突条部に係合させるために第１連結手段を第２連結手段の上を摺動させて移動させるとき、前記第１連結手段の突条部又は凹条部と前記第２連結手段の凹条部又は突条部とが引っ掛からないように、第１連結手段の突条部及び／又は第２連結手段の突条部の高さに対応して変更され、案内手段の案内凸条は、第１連結手段の係合手段と第２連結手段の係合手段とを合わせた高さより高い案内凸条で形成されるか、若しくは、案内手段の案内凸条は、第１連結手段及び／又は第２連結手段の係合手段より高い案内凸条で形成されて、又は、案内手段の案内凸条は、第１連結手段の係合手段が突条部であって第２連結手段の係合手段が凹条部の場合あるいは第１連結手段の係合手段が凹条部であって第２連結手段の係合手段が凸条部の場合において、係合手段の突条部よりも高い案内凸条で形成されて、若しくは、案内手段の案内凸条は、第１連結手段の係合手段及び第２連結手段の係合手段が突条部であって、第１連結手段の突条部よりも高い案内凸条を形成され且つ第２連結手段の突条部より高い案内凸条を形成されて、第１連結手段の突条部と第２連結手段の突条部とが引っ掛かることなく、第１連結手段の案内手段を第２連結手段の案内手段の上を摺動させて、第１連結手段の係合手段と第２連結手段の係合手段とを係合されるように構成されているので、第１連結手段の案内手段を第２連結手段の案内手段の上を摺動させて、係合手段が係合されるように案内して、第１連結手段と第２連結手段とを連結できる。
請求項５の発明によれば、前記第１連結手段の案内手段は、第１の突条部の外側の近傍において押え板の主面側から突設された第１の案内凸条であり、前記第２連結手段の案内手段は、第２の突条部の外側の近傍において表紙の内面側から突設された第２の案内凸条であり、第１の案内凸条は、第１の係合手段を第２の係合手段に係合させるときに、第２の案内凸条に重なり合って摺動するように構成されているので、第１の係合手段を第２の係合手段に係合させるときに、第１の案内凸条を第２の案内凸条に重なり合って摺動させて、案内することができる。
請求項６の発明によれば、前記綴じ具の第１連結手段の係合手段は、綴じ具の上面に形成された、第１の突条部と、前記突条部の内側に形成された収容部とを備え、前記表紙の第２連結手段の係合手段は、前記第１連結手段の第１の突条部に係合するための第２の突条部と、前記第２の突条部に対向して、適宜な間隔をおいて形成された第３の突条部とを備え、第１連結手段の係合手段と第２連結手段の係合手段とを係合させたとき、第１の突条部が第２の突条部と第３の突条部との間において係合され、第３の突条部は収容部に収容されるように形成され、前記案内手段は、第１の突条部、第２の突条部及び第３の突条部より高く突設され、第１の突条部、第２の突条部及び第３の突条部が接触することなく、第１連結手段の案内手段を第２連結手段の案内手段の上を摺動させて、係合手段が係合されるように構成されているので、第１連結手段の案内手段を第２連結手段の案内手段の上を摺動させて、係合手段が係合されるように案内して、第１連結手段と第２連結手段とを連結できる。
請求項７の発明によれば、第１の突条部は、第１連結手段の第１の係合手段を第２連結手段の第２の係合手段に係合させるために、第２連結手段が第１連結手段の上を摺動して移動する方向において、第１の案内手段の摺動終端部より移動する方向に向いて突き出ており、第２の案内手段の摺動終端部は、第１連結手段の第１の係合手段を第２連結手段の第２の係合手段に係合させるために、第２連結手段が第１連結手段の上を摺動して移動する方向において、第２の突条部と横に並んで略々揃い、第１の案内手段及び第２の案内手段の存在しない位置において、第１の突条部は、第２の突条部に係合されるように構成されているので、第１の案内手段と第２の案内手段とを移動させて、第１の突条部を、第２の突条部に係合させることができる。
【０００８】
この発明の上述の目的、その他の目的、特徴及び利点は、図面を参照して行う以下の発明を実施するための形態の説明から一層明らかとなろう。
この明細書及び特許請求の範囲において、バインダーは、記録及び未記録のリーフ、用紙、合成樹脂製ポケット、表紙等の被綴じ物を綴じるファイルやバインダー類の総称である。
この明細書及び特許請求の範囲において、被綴じ物は、リーフ、用紙、合成樹脂製ポケット、表紙等の綴じ具に綴じられる物の総称である。
【図面の簡単な説明】
【０００９】
【図１】この発明の一実施の形態であるバインダーを示す正面図解図である。
【図２】綴じ具を構成する第１綴じ具部材と第２綴じ具部材との正面図解図である。
【図３】第１綴じ具部材の図解図であり、（Ａ）は正面図解図であり、（Ｂ）は底面図解図である。
【図４】第１綴じ具部材の図解図であり、（Ａ）は背面図解図であり、（Ｂ）は平面図解図である。
【図５】第１綴じ具部材の側面図解図である。
【図６】第２綴じ具部材の図解図であり、（Ａ）は正面図解図であり、（Ｂ）は底面図解図である。
【図７】第２綴じ具部材の図解図であり、（Ａ）は背面図解図であり、（Ｂ）は平面図解図である。
【図８】第２綴じ具部材の側面図解図である。
【図９】綴じ具を閉じる状態を示す側断面図解図であり、（Ａ）は第１綴じ具部材と第２綴じ具部材とを連結する前の図で、（Ｂ）は第１綴じ具部材と第２綴じ具部材とを連結したときの図である。
【図１０】綴じ具を閉じる状態を示す側断面図解図であり、（Ａ）は第１綴じ具部材と第２綴じ具部材とを連結する前の図で、（Ｂ）は第１綴じ具部材と第２綴じ具部材とを連結したときの図である。
【図１１】綴じ具を閉じた状態を示す側断面図解図である。
【図１２】綴じ具を閉じる前の状態を示す正面図解図である。
【図１３】綴じ具を閉じる前の状態を示す正断面図解図である。
【図１４】綴じ具を閉じた状態を示す正断面図解図である。
【図１５】表紙を閉じる前の状態を示す側面図解図である。
【図１６】表紙を閉じる前の状態を示す側断面図解図である。
【図１７】表紙を閉じた状態を示す側面図解図である。
【図１８】表紙を閉じた状態を示す側断面図解図である。
【図１９】表紙を閉じた状態を示す正面図解図である。
【図２０】連結部材の図解図であり、（Ａ）は平面図解図であり、（Ｂ）は正面図解図であり、（Ｃ）は底面図解図であり、（Ｄ）は背面図解図であり、（Ｅ）は側面図解図である。
【図２１Ａ】第１連結手段と第２連結手段との位置関係を示す正面図解図である。
【図２１Ｂ】綴じ具を表紙に連結する状態を示す側面図解図である。
【図２２】表紙を閉じた状態を示す側面図解図である。
【図２３】表紙を閉じた状態を示す側断面図解図である。
【図２４】表紙を閉じた状態を示す正面図解図である。
【図２５】綴じ具に綴じられた被綴じ物を開いた状態を示す側断面図解図である。
【発明を実施するための形態】
【００１０】
この発明にかかるバインダーは、綴じ具１０を、バインダーの表紙１００に取り付けられたものである。
表紙１００は、表表紙１０２と、裏表紙１０４と、表表紙１０２と裏表紙１０４との間に形成された背表紙１０６とを有している。
表表紙１０２は、背表紙１０６との間に屈曲部１０８を介して、背表紙１０６に連設され、裏表紙１０４は、背表紙１０６との間に屈曲部１１０を介して、背表紙１０６に連設されている。
【００１１】
綴じ具１０は、第１綴じ具部材１０Ａと、第２綴じ具部材１０Ｂとからなる。
第１綴じ具部材１０Ａは、基板１２と、基板１２の第１の主面２０ａより突設された第１の綴杆１４とを有している。
第２綴じ具部材１０Ｂは、押え板１６と、押え板１６の第１の主面２２ａより突設された第２の綴杆１８とを有している。
この綴じ具１０は、前記第１綴じ具部材１０Ａの基板１２の第１の主面２０ａと第２綴じ具部材１０Ｂの押え板１６の第１の主面２２ａとを対向させ、第１の綴杆１４と第２の綴杆１８とを適宜な間隔をおいて並列させて、第１の綴杆１４及び第２の綴杆１８に被綴じ物Ｘの綴じ孔Ｘ1を貫挿して綴じ込むように構成されている。
第１綴じ具部材１０Ａの基板１２と第２綴じ具部材１０Ｂの押え板１６とは、外形が略々同じ方形状であり、前記第１綴じ具部材１０Ａの基板１２の第１の主面２０ａと第２綴じ具部材１０Ｂの押え板１６の第１の主面２２ａとを対向させて連結したときに、第１の綴杆１４と第２の綴杆１８との中心線が平面上において横に並んで略々揃い、且つ、それぞれの一方の長手端縁も平面上において横に並んで略々揃う。特に、被綴じ物Ｘの綴じ代側端縁Ｘ2が位置する側であって、表紙１００の屈曲部１０８側に位置する基板１２の長手端縁は、押え板１６の長手端縁と平面上において横に並んで略々揃う。
【００１２】
綴じ具１０は、第１綴じ具部材１０Ａの基板１２が、第１の主面２０ａを表紙１００の裏表紙１０４に対向させて取り付けられることによって、表紙１００に固定される。
基板１２の取り付け位置は、表紙１００の屈曲部１０８の近傍であって、基板１２は、表紙１００の屈曲部１１０に平行に取り付けられている。
【００１３】
第１の綴杆１４及び第２の綴杆１８の高さは、背表紙１０６の幅、すなわち、背表紙１０６の両端の表表紙１０２側の屈曲部１０８と裏表紙１０４側の屈曲部１１０との間の長さよりも、基板１２の厚さと押え板１６の厚さを合わせた寸法分、その高さが短くなるように構成されている。
すなわち、第１の綴杆１４と第２の綴杆１８とを互い違いに並列させて基板１２に押え板１６を連結したときの基板１２と押え板１６の間の高さは、表紙１００の表表紙１０２側の屈曲部１０８と裏表紙１０４側の屈曲部１１０との間の幅より、わずかに短くなるように構成されている。
而して、表紙１００を閉じたとき、表表紙１０２と裏表紙１０４との間に本件綴じ具１０は、表表紙１０２側に押え板１６が位置し、裏表紙１０４側に基板１２が位置する。そして、表表紙１０２と押え板１６とが対向し、後述する押え板１６に形成された第１連結手段８０と裏表紙１０４に付設された第２連結手段１２０とが連結され、裏表紙１０４と基板１２とが対向して、表表紙１０２と裏表紙１０４とは、綴じ具１０の位置において略平行に閉じられる。
【００１４】
基板１２は、少なくとも２本の第１の綴杆１４が第１の主面２０ａに立設され、複数の綴杆が基板１２の長手方向における中心線上において、一定の間隔をおいて直線状に並列されている。この実施の形態においては、１５本の第１の綴杆１４が、等間隔に立設されている。
基板１２は、第１の主面２０ａにおいて、等しい間隔をおいて立設された第１の綴杆１４の間に、第２綴じ具部材１０Ｂの第２の綴杆１８の間隔に対応して、等しい間隔をおいて、綴杆穴２４を穿設されている。
基板１２は、第１の主面２０ａと背中合わせの第２の主面２０ｂを有し、第２の主面２０ｂは表紙１００の裏表紙１０４と対向する面であって、全体が略々平面状である。
基板１２は、押え板１６と略々同じ形状の平面視方形状であり、基板１２と押え板１６とは、その長さ方向の寸法が、略々同じである。
この実施の形態においては、基板１２は、その幅方向の寸法が押え板１６の幅方向の寸法より長い。
基板１２の長手端縁は、並列された第１の綴杆１４と平行な直線状である。
【００１５】
押え板１６は、少なくとも２本の第２の綴杆１８が、全体が略々平面状の第１の主面２２ａに立設され、複数の綴杆が押え板１６の長手方向における略々中心線上において、一定の間隔をおいて直線状に並列されている。この実施の形態においては、１４本の第２の綴杆１８が、等間隔に立設されている。
押え板１６は、第１の主面２２ａにおいて、等しい間隔をおいて立設された第２の綴杆１８の間に、第１綴じ具部材１０Ａの第１の綴杆１４の間隔に対応して、等しい間隔をおいて、綴杆穴２８を穿設されている。
押え板１６は、第１の主面２２ａと背中合わせの第２の主面２２ｂを有し、第２の主面２２ｂは表紙１００の表表紙１０２と対向する面であって、全体が略々平面状である。
押え板１６は、基板１２と略々同じ形状の平面視方形状であり、押え板１６と基板１２とは、その長さ方向の寸法が、略々同じである。
この実施の形態においては、押え板１６は、その幅方向の寸法が基板１２の幅方向の寸法より短い。
押え板１６の長手端縁は、並列された第２の綴杆１８と平行な直線状である。
【００１６】
第１の綴杆１４は、押え板１６の綴杆穴２８に嵌挿される長さを有し、第２の綴杆１８は、基板１２の綴杆穴２４に嵌挿される長さを有している。複数の第１の綴杆１４のうちの一の第２の綴杆１８ａは、最も押え板１６に近い位置の被綴じ物Ｘの綴じ孔Ｘ1に貫挿されるときに案内杆として、他の第２の綴杆１８ｂより早く被綴じ物Ｘの綴じ孔Ｘ1に達する長さを備える。すなわち、複数の第１の綴杆１４のうちの一の第２の綴杆１８ａは、最も近い位置の被綴じ物Ｘの綴じ孔Ｘ1に貫挿されるときに案内杆として、他の第２の綴杆１８ｂより早く被綴じ物Ｘの綴じ孔Ｘ1に達する長さを備える。
そして、複数の第１の綴杆１４は、案内杆である一の第２の綴杆１８ａを基準として押え板１６を回転させながら又は揺り動かしながら、他の第２の綴杆１８ｂを最も押え板１６に近い位置の被綴じ物Ｘの綴じ孔Ｘ1に貫挿されるように構成されている。
この実施の形態においては、中央にある一群の第２の綴杆１８ａは、最も押え板１６に近い位置の被綴じ物Ｘの綴じ孔Ｘ1に貫挿されるときに案内杆となるように、他群の第２の綴杆１８ｂより早く被綴じ物Ｘの綴じ孔Ｘ1に達する長さを備える。
一の第１の綴じ杆１４及び／又は第２の綴杆１８は、最も近い位置にある被綴じ物Ｘの綴じ孔Ｘ1に貫挿されるときに案内杆として、他の第１の綴じ杆１４及び／又は第２の綴杆１８より早く被綴じ物Ｘの綴じ孔Ｘ1に達する長さを備え、一の第１の綴じ杆１４及び／又は第２の綴杆１８は、他の第１の綴じ杆１４及び／又は第２の綴杆１８より早く前記最も近い位置にある被綴じ物Ｘの綴じ孔Ｘ1に貫挿されるように構成されている。
案内杆としての一群の第２の綴杆１８ａは、中央若しくは左端側及び／又は右端側の第２の綴杆１８によって構成されてもよい。
案内杆は、第１の綴杆１４に形成されてもよい。
すなわち、案内杆としての一群の第１の綴杆１４は、中央若しくは左端側及び／又は右端側の第１の綴杆１４によって構成され、積層された被綴じ物Ｘのうち、最も第１の綴杆１４の先端に近い位置の被綴じ物Ｘの綴じ孔Ｘ1に貫挿されるときに案内杆として、他の第１の綴杆１４より早く被綴じ物Ｘの綴じ孔Ｘ1に達する長さを備える。
【００１７】
基板１２は、一方の長手端縁に沿って、被綴じ物Ｘの綴じ代側端縁Ｘ2の位置決め及びその保護をするための立ち上がり部３０が突設されている。
立ち上がり部３０は、並列された第１の綴杆１４と平行に、第１の綴杆１４ののびる方向に基板１２より垂設されている。
立ち上がり部３０は、押え板１６と対向する基板１２の第１の主面２０ａと直交するように立設されている。
立ち上がり部３０の高さは、押え板１６との間隔の略々７分の１の寸法を備えている。
立ち上がり部３０は、基板１２と一体的に形成されており、基板１２の補強を兼ねている。
【００１８】
立ち上がり部３０は、基板１２側の基部とは反対側の自由端側において、その長さ方向における中央の位置に、第１の保持部３２が突設されている。
第１の保持部３２は、押え板１６の一方側の長手端縁の近傍に係止されるように形成された、全体が略断面Ｌ字形の板状体であり、直立部３４と押圧部３６とを備える。
直立部３４と押圧部３６とは、略直交するように連設されている。
直立部３４は、立ち上がり部３０における第１の綴杆１４とは反対側の面に連設され、立ち上がり部３０と平行に垂設されている。
押圧部３６は、押え板１６の第２の主面２２ｂに係合されるときに押え板１６の第２の主面２２ｂと対向するように、第１の綴杆１４側に向けて直立部３４に垂設されている。
直立部３４は、押圧部３６の第２の綴杆１８が基板１２の綴杆穴２４に達する前に、後述する押え板１６の案内部６４の先端が到達する高さ位置において回動部３８を形成されている。直立部３４は、回動部３８を境にして、基板１２側の第１の直立部４０と、自由端側の第２の直立部４２とを備える。
【００１９】
前記基板１２の第１の保持部３２は、押え板１６の一方側端縁に垂設された第２の保持部６２が嵌挿又は係合されて、押え板１６の第２の保持部６２が基板１２の第１の保持部３２の一方側端縁の近傍に係止され、略垂直の一枚の板状に連結されるように形成されている。
そして、基板１２は、前記第１の保持部３２の第１の案内部嵌挿孔４６及び第２の案内部嵌挿孔４８又は案内部係合部４４に、押え板１６を基板１２の適宜な位置に連結するための押え板１６の第２の保持部６２の案内部６４を嵌挿又は係合されるように形成されている。
【００２０】
前記押え板１６は、一方側端縁に垂設された案内部６４を有している。
前記案内部６４は、第１の綴杆１４が押え板１６の綴杆穴２８に嵌挿する前及び／又は第２の綴杆１８が基板１２の綴杆穴２４に嵌挿する前に、基板１２に形成された第１の案内部嵌挿孔４６及び第２の案内部嵌挿孔４８又は案内部係合部４４に到達し、第１の案内部嵌挿孔４６及び第２の案内部嵌挿孔４８又は案内部係合部４４に挿入して接し合わされるように形成されている。
【００２１】
基板１２側の第１の直立部４０は、案内部６４の先端に突設された係止凸部６８を係合させるための、案内部係合部４４を、回動部３８の近傍に形成されている。
案内部係合部４４は、断面Ｕ字形の凹溝である。
この実施の形態においては、案内部係合部４４は、左右に分かれて２箇所に形成されている。
【００２２】
第１の直立部４０は、回動部３８の近傍の領域（上部）において、第１の案内部嵌挿孔４６が穿設され、且つ、第２の直立部４２は、回動部３８の近傍の領域（下部）において、第２の案内部嵌挿孔４８が穿設されている。
第１の案内部嵌挿孔４６と第２の案内部嵌挿孔４８とは、第２の直立部４２を回動部３８において折り曲げたときに合わさって、平面視方形の挿入開口部を形成するように、第１の直立部４０と第２の直立部４２とに対向して同一の位置に形成されている。
第１の案内部嵌挿孔４６は、断面Ｕ字形の凹溝である。
第１の案内部嵌挿孔４６と第２の案内部嵌挿孔４８とが合わさって形成される挿入開口部の長さ及び幅は、案内部６４の長さ及び幅と略同一の寸法を有している。
【００２３】
押え板１６は、一方の長手端縁に沿って、被綴じ物Ｘの綴じ代側端縁の位置決め及びその保護をするための立ち上がり部６０が突設されている。
立ち上がり部６０は、並列された第２の綴杆１８と平行に、第２の綴杆１８ののびる方向に押え板１６より垂設されている。
立ち上がり部６０は、押え板１６と一体的に形成されており、押え板１６の補強を兼ねている。
立ち上がり部６０は、基板１２と対向する押え板１６の第１の主面２２ａと直交するように立設されている。
立ち上がり部６０の高さは、基板１２との間隔の略々７分の１の寸法を備えている。
【００２４】
押え板１６側の立ち上がり部６０は、押え板１６側の基部とは反対側の自由端側において、第２の綴杆１８が並列された方向である長手方向における中央の位置に、第２の保持部６２を、第２の綴杆１８ののびる方向に向けて突設されている。
第２の保持部６２は、並列された第２の綴杆１８と平行に、第２の綴杆１８ののびる方向に立ち上がり部６０から平行に突設されている。
第２の保持部６２は、第２の綴杆１８が並列された方向である長手方向における中央において、案内部６４が突設されている。
案内部６４は、押え板１６の第２の綴杆１８が基板１２の綴杆穴２４に達する前に、その先端が第１の直立部４０の第１の案内部嵌挿孔４６の開口部分に到達する高さを備えている。
案内部６４は、前記第１の保持部３２の直立部３４と略同一の幅を備える正面視方形の板状である。
案内部６４は、その先端（下端）の中央において突設された、案内凸部６６を備える。
案内部６４は、前記案内凸部６６の左右に分かれて、左端及び右端の近傍において突設された、係止凸部６８を備える。
【００２５】
案内凸部６６は、第１の案内部嵌挿孔４６と第２の案内部嵌挿孔４８とによって形成された挿入開口部に挿入される幅と長さとを備える、断面方形の板状体である。
案内凸部６６は、第１の案内部嵌挿孔４６と第２の案内部嵌挿孔４８とによって形成された挿入開口部より、第１の直立部４０の第１の案内部嵌挿孔４６内に入り込み、第１の案内部嵌挿孔４６の凹溝の溝壁に係合されて固定される幅と長さとを備える。
係止凸部６８は、案内部係合部４４に挿入される幅と長さとを備える断面方形の板状体である。
係止凸部６８は、案内部係合部４４内に入り込み、案内部係合部４４の凹溝の溝壁に係合されて固定される幅と長さとを備える。
【００２６】
基板１２に形成された第１の直立部４０は、第１の綴杆１４とは反対側に第１の案内部嵌挿孔４６を形成され、押え板１６に形成された案内部６４の案内凸部６６は、押え板１６側の第２の保持部６２の主体部６２ａより第２の綴杆１８とは反対側に凸設されている。
押え板１６の第２の綴杆１８を基板１２の綴杆穴２４に嵌挿させて、基板１２の第１の綴杆１４と押え板１６の第２の綴杆１８とが互い違いに並列するように、基板１２側の第１の直立部４０の真上に押え板１６側の第２の保持部６２の主体部６２ａを位置させ、押え板１６を垂直に基板１２側に向けて垂下させるとき、押え板１６側の第２の保持部６２の下端は、基板１２側の第１の案内部嵌挿孔４６の上端に突き当たるとともに、案内凸部６６が第１の案内部嵌挿孔４６に嵌挿される。
【００２７】
押え板１６は、押え板１６の第２の綴杆１８が突設された第１の主面２２ａとは反対側である第２の主面２２ｂに、第１保持係止部５０が形成されている。
基板１２側の押圧部３６は、押え板１６の第１保持係止部５０に係止されるときに押え板１６に対向する面に、第２保持係止部５２を形成されている。
押圧部３６の第２保持係止部５２は、押え板１６の第２の綴杆１８の先端が基板１２の綴杆穴２４に嵌挿された状態において、押え板１６の第２の主面２２ｂに形成された第１保持係止部５０に係止される。
【００２８】
基板１２は、前記立ち上がり部３０を形成された長手端縁において、立ち上がり部３０を形成された第１の主面２０ａとは反対側の第２の主面２０ｂに、表紙１００に取り付けるための取り付け部７０を連設されている。
取り付け部７０は、ヒンジ部７２により回動自在に、基板１２に連設されている。
取り付け部７０は、第１の綴杆１４の並列された方向である基板１２の長手方向において、２箇所に分かれて形成されている。
【００２９】
取り付け部７０は、表紙１００に取り付けられる面が平面状の正面視方形の板状体であり、取り付け部７０の幅は、基板１２の第１の綴杆１４が並列された方向と直交する幅方向の寸法と略々同一の寸法を有している。
取り付け部７０は、基板１２との連設縁は、基板１２の連設縁と平行であって、基板１２の第２の主面２０ｂと重なるように形成されている。
基板１２との連設縁とは反対側の取り付け部７０の端縁には、基板１２を係止固定するための基板係止部７４が突設されている。
基板係止部７４は、その係止内縁が、基板１２の第２の主面２０ｂの外縁に形成され、取付係止部７６と係合する。
基板１２の取付係止部７６は、基板１２の外縁からわずかに凹んだ凹状部で形成されている。
取付係止部７６は、第１の綴杆１４の並列された方向である基板１２の長手方向において、２箇所に分かれて形成されている。
基板係止部７４の係止凸条ののびる方向は、左右に分かれて２箇所に形成された取付係止部７６と取付係止部７６とを結ぶ線と平行である。
而して、基板係止部７４に係止された基板１２の外縁と、取り付け部７０の外縁とは揃う。
【００３０】
第２の保持部６２は、立ち上がり部６０の第２の綴杆１８側とは反対側の面に、付設されている。
第２の保持部６２は、取り付け部７０の厚さと略同じ厚さを有している。
而して、表紙１００を開いたとき、綴じ具１０は、第２の保持部６２の厚さと取り付け部７０の厚さ分、立ち上がり部３０と立ち上がり部６０とが表紙１００の内側面より離れた状態で、表紙１００の背表紙１０６の裏面に架け渡される。
【００３１】
押え板１６は、基板１２と対向する面とは反対側の面に、第１連結手段８０を設けられている。
第１連結手段８０は、基板１２を取り付けた裏表紙１０４の内側面と対向する表表紙１０２の内側面に形成された第２連結手段１２０を係止するために形成されている。
【００３２】
前記表紙１００は、前記表紙１００を閉じた際に前記綴じ具１０の押え板１６の前記一部分に設けられた前記第１連結手段８０に対向する部分に設けられ、前記第１連結手段８０に近接することによって前記第１連結手段８０と互いに係合する第２連結手段１２０を備える。
第２連結手段１２０は、表紙１００の表表紙１０２の内側面に、屈曲部１０８から押え板１６の幅以上の間隔をおいて、付設されている。
【００３３】
第１連結手段８０及び第２連結手段１２０は、前記表紙１００を閉じた状態で前記表紙１００が開きにくいように前記表紙１００を仮固定するための係合手段として、第１連結手段８０の第１の係合手段８２と第２連結手段１２０の第２の係合手段１２２とを含む。
前記綴じ具１０の第１連結手段８０の第１の係合手段８２は、綴じ具１０の押え板１６の第１の主面２２ａの上面に形成された、第１の連結係止部を構成する第１の突条部８４と、前記第１の突条部８４の内側に形成された収容部８６とを備える。
前記表紙１００の第２連結手段１２０の第２の連結係止部を構成する第２の係合手段１２２は、前記第１連結手段８０の第１の突条部８４に係合するための第２の突条部１２４と、前記第２の突条部１２４に対向して、適宜な間隔をおいて形成された第２の連結係止部を構成する第３の突条部１２６とを備える。第１連結手段８０の第１の突条部８４の突条ののびる方向は、第２連結手段１２０の第２の突条部１２４及び第３の突条部１２６の突条ののびる方向と平行である。
第１連結手段８０の第１の係合手段８２と第２連結手段１２０の第２の係合手段１２２とを係合させたとき、第１の突条部８４が第２の突条部１２４と第３の突条部１２６との間において係合され、第３の突条部１２６は収容部８６に収容されるように形成されている。
而して、第１連結手段８０の第１の突条部８４は、第２連結手段１２０の第２の突条部１２４及び第３の突条部１２６に、第１の綴杆１４及び第２の綴杆１８の並列された方向と平行に係合され、第１連結手段８０に第２連結手段１２０が固定される。
【００３４】
前記表紙１００を閉じた状態で前記表紙１００が開きにくいように前記表紙１００を仮固定しやすくするために、前記第１の係合手段８２に第２の係合手段１２２を案内するための案内手段を有する。
案内手段は、前記表紙１００を閉じた際に前記第１連結手段８０及び前記第２連結手段１２０が係合するように前記第１連結手段８０及び前記第２連結手段１２０を案内するために、第１連結手段８０及び第２連結手段１２０の一部に形成された案内部材を含む。
【００３５】
前記第１連結手段８０の左右一対の第１の案内手段９０は、案内手段を構成しており、第１の突条部８４の外側の近傍において押え板１６の主面側から突設された第１の案内凸条９２である。
前記第２連結手段１２０の左右一対の第２の案内手段１３０は、案内手段を構成しており、第２の突条部１２４の外側の近傍において表紙１００の内面側から突設された第２の案内凸条１３２である。
前記案内手段を構成する押圧部３６及び第１の案内手段９０は、押え板１６の第２の主面２２ｂから、第１の突条部８４より高く突設されている。第１の案内手段９０は、第２の綴杆１８がのびる方向とは反対方向に高く突設されている。
前記案内手段を構成する第２の案内手段１３０は、その主たる面から、第２の突条部１２４及び第３の突条部１２６より高く突設されている。第２の案内手段１３０は、第２の案内手段１３０の表紙１００への取り付け側とは反対側、すなわち、綴じ具１０に対向する方向に向けて高く突設されている。
【００３６】
押圧部３６並びに第１の案内手段９０及び第２の案内手段１３０は、第１の突条部８４、第２の突条部１２４及び第３の突条部１２６が引っ掛かることなく、第２連結手段１２０の第２の案内手段１３０を第１連結手段８０の第１の案内手段９０の上を摺動させて、係合手段を構成する第１の係合手段８２と第２の係合手段１２２とが係合されるように構成されている。
第２連結手段１２０において左右に分かれて形成された第２の案内凸条１３２は、第１連結手段８０において左右に分かれて形成された第１の案内凸条９２と、略々同一の間隔をおいて左右に分かれて形成されている。
押圧部３６及び第１の案内凸条９２は、第１の係合手段８２を第２の係合手段１２２に係合させるときに、第２の案内凸条１３２に重なり合って摺動するように構成されている。
第１の案内凸条９２は、第２の案内凸条１３２との摺動面がなだらかな円弧状面ないしはなだらかな膨出した傾斜面によって形成される。
第２の案内凸条１３２は、第１の案内凸条９２との摺動面が山形状であって、摺動始端部１３２ａ側がなだらかな傾斜面であり、摺動終端部１３２ｂ側が急傾斜の斜面である。
【００３７】
第１の案内手段９０の摺動終端部９０ｂは、第１連結手段８０の第１の係合手段８２を第２連結手段１２０の第２の係合手段１２２に係合させるために、第２連結手段１２０の第２の案内凸条１３２が押圧部３６の上及び第１連結手段８０の第１の案内凸条９２の上を摺動して移動する方向において、第１の突条部８４と横に並んで略々揃うか、第１の突条部８４の方が前方に突き出る。
第２連結手段１２０は、第２の綴杆１８が並列される方向とは直交ないし交差する方向に移動して、第１連結手段８０と係合する。而して、第２連結手段１２０及び第２連結手段１２０の第２の案内凸条１３２の摺動して移動する方向とは、第２の綴杆１８が並列される方向とは直交ないし交差する方向をいう。
第２の案内手段１３０の摺動終端部１３２ｂは、第１連結手段８０の第１の係合手段８２を第２連結手段１２０の第２の係合手段１２２に係合させるために、第１連結手段８０が第２連結手段１２０の上を摺動して移動する方向において、第２の突条部１２４と横に並んで略々揃う。
【００３８】
第１の案内手段９０及び第２の案内手段１３０の存在しない位置において、第１の突条部８４は、第２の突条部１２４に係合されるように構成されている。
第１の係合手段８２の入口は、第１の案内手段９０の摺動終端部９０ｂより、第２連結手段１２０の移動方向に向いて突き出ている。
第２の案内手段１３０の摺動終端部１３２ｂは、第２の突条部１２４の入口の近くにおいて横に並んでいる。
第１の案内手段９０及び第２の案内手段１３０の存在しない位置に達したときにおいて、第２の係合手段１２２は、第１の係合手段８２に係合されるように構成されている。
【００３９】
案内手段は、第１の案内手段９０及び第２の案内手段１３０が、第１連結手段８０又は第２連結手段１２０の一方のみにあってもよい。すなわち、第１の案内手段９０の第１の案内凸条９２は凸条であって、第２の案内手段１３０は凸条ではなく、案内をするための平面となっていてもよい。
案内手段は、第１の案内手段９０の第１の案内凸条９２及び第２の案内手段１３０の第２の案内凸条１３２が、第１連結手段８０の第１の案内手段９０又は第２連結手段１２０の第２の案内手段１３０の一方のみにあってもよい。
そして、第１連結手段８０の第１の案内手段９０は、山形の高い第１の案内凸条９２であって、第２連結手段１２０の第２の案内手段１３０は、前記第１の案内手段９０の第１の案内凸条９２を嵌合して摺動できる案内凹条であってもよい。
あるいは、第２連結手段１２０の第２の案内手段１３０は、山形の高い第２の案内凸条１３２であって、第１連結手段８０の第１の案内手段９０は、前記案内手段１３０の第２の案内凸条１３２を嵌合して摺動できる案内凹条であってもよい。
【００４０】
前記綴じ具１０の第１連結手段８０の第１の係合手段８２は、綴じ具１０の上面に形成された第１の突条部８４又は凹条部を備え、前記表紙１００の第２連結手段１２０の第２の係合手段１２２は、前記第１連結手段８０の第１の突条部８４又は凹条部に係合するための凹条部又は第１の突条部８４を備えてもよい。
すなわち、第１連結手段８０の第１の係合手段８２は、押え板１６の上面に形成された第１の突条部８４であって、第２連結手段１２０の第２の係合手段１２２は、第２連結手段１２０の上面に形成された凹条部であって、前記第１の突条部８４に係合するように構成されてもよい。
また、第２連結手段１２０の第２の係合手段１２２は、第２連結手段１２０の上面に形成された、第２の突条部１２４及び第３の突条部１２６であって、第１連結手段８０の第１の係合手段８２は、押え板１６の上面に形成された凹条部であって、前記第２の突条部１２４及び第３の突条部１２６に係合するように構成されてもよい。
前記第１の案内手段９０又は第２の案内手段１３０は、前記第１連結手段８０の第１の突条部８４又は凸条部を前記第２連結手段１２０の凹条部又は第２の突条部１２４に係合させるために第１連結手段８０を第２連結手段１２０の上を摺動させて移動させるとき、前記第１連結手段８０の第１の突条部８４又は凹条部と前記第２連結手段１２０の凹条部又は第２の突条部１２４とが引っ掛からないように、第１連結手段８０の第１の突条部８４及び／又は第２連結手段１２０の第２の突条部１２４の高さに対応して変更されるとよい。
すなわち、第１の案内手段９０の第１の案内凸条９２又は第２の案内手段１３０の第２の案内凸条１３２は、第１連結手段８０の第１の係合手段８２と第２連結手段１２０の第２の係合手段１２２とを合わせた高さより高い案内凸条で形成されてもよい。
若しくは、案内手段の案内凸条は、第１連結手段８０の第１の係合手段８２及び／又は第２連結手段１２０の第２の係合手段１２２より高い第１の案内凸条９２及び／又は第２の案内凸条１３２で形成されてもよい。
又は、案内手段の案内凸条は、第１連結手段８０の第１の係合手段８２が第１の突条部８４であって第２連結手段１２０の第２の係合手段１２２が凹条部の場合あるいは第１連結手段８０の第１の係合手段８２が凹条部であって第２連結手段１２０の第２の係合手段１２２が第２の突条部１２４及び第３の突条部１２６の場合において、第１の係合手段８２の第１の突条部８４よりも高い又は第２の係合手段１２２の第２の突条部１２４及び第３の突条部１２６よりも高い第１の案内凸条９２及び／又は第２の案内凸条１３２で形成されてもよい。
若しくは、第１の案内手段９０の第１の案内凸条９２及び第２の案内手段１３０の第２の案内凸条１３２は、第１連結手段８０の第１の係合手段８２が第１の突条部８４であって及び第２連結手段１２０の第２の係合手段１２２が第２の突条部１２４及び第３の突条部１２６であって、第１連結手段８０の第１の突条部８４よりも高い第１の案内凸条９２を形成され且つ第２連結手段１２０の第２の突条部１２４より高い第２の案内凸条１３２を形成されてもよい。
そして、いずれの場合においても、第１連結手段８０の第１の突条部８４と第２連結手段１２０の第２の突条部１２４とが引っ掛かることなく、第１連結手段８０の第１の案内手段９０を第２連結手段１２０の第２の案内手段１３０の上を摺動させて、第１連結手段８０の第１の係合手段８２と第２連結手段１２０の第２の係合手段１２２とを係合されるように構成されてもよい。
【符号の説明】
【００４１】
１０  綴じ具
１０Ａ  第１綴じ具部材
１０Ｂ  第２綴じ具部材
１２  基板
１４  第１の綴杆
１６  押え板
１８，１８ａ，１８ｂ  第２の綴杆
２０ａ  （基板の）第１の主面
２０ｂ  （基板の）第２の主面
２２ａ  （押え板の）第１の主面
２２ｂ  （押え板の）第２の主面
２４  （基板の）綴杆穴
２８  （押え板の）綴杆穴
３０  （基板の）立ち上がり部
３２  第１の保持部
３４  直立部
３６  押圧部
３８  回動部
４０  第１の直立部
４２  第２の直立部
４４  案内部係合部
４６  第１の案内部嵌挿孔
４８  第２の案内部嵌挿孔
５０  （押え板の）第１保持係止部
５２  （第１の保持部の）第２保持係止部
６０  （押え板の）立ち上がり部
６２  第２の保持部
６２ａ  主体部
６４  案内部
６６  案内凸部
６８  係止凸部
７０  取り付け部
７２  ヒンジ部
７４  基板係止部
７６  取付係止部
８０  第１連結手段
８２  第１の係合手段
８４  第１の突条部
８６  収容部
９０  第１の案内手段
９０ｂ  （第１の案内手段）の摺動終端部
９２  第１の案内凸条
１００  表紙
１０２  表表紙
１０４  裏表紙
１０６  背表紙
１０８，１１０  屈曲部
１２０  第２連結手段
１２２  第２の係合手段
１２４  第２の突条部
１２６  第３の突条部
１３０  第２の案内手段
１３２  第２の案内凸条
１３２ａ  摺動始端部
１３２ｂ  （第２の案内手段）の摺動終端部
Ｘ  被綴じ物
Ｘ1  綴じ孔
Ｘ2  綴じ代側端縁
【図１】
2014094516.tif 000003
【図２】
2014094516.tif 000004
【図３】
2014094516.tif 000005
【図４】
2014094516.tif 000006
【図５】
2014094516.tif 000007
【図６】
2014094516.tif 000008
【図７】
2014094516.tif 000009
【図８】
2014094516.tif 000010
【図９】
2014094516.tif 000011
【図１０】
2014094516.tif 000012
【図１１】
2014094516.tif 000013
【図１２】
2014094516.tif 000014
【図１３】
2014094516.tif 000015
【図１４】
2014094516.tif 000016
【図１５】
2014094516.tif 000017
【図１６】
2014094516.tif 000018
【図１７】
2014094516.tif 000019
【図１８】
2014094516.tif 000020
【図１９】
2014094516.tif 000021
【図２０】
2014094516.tif 000022
【図２１Ａ】
2014094516.tif 000023
【図２１Ｂ】
2014094516.tif 000024
【図２２】
2014094516.tif 000025
【図２３】
2014094516.tif 000026
【図２４】
2014094516.tif 000027
【図２５】
2014094516.tif 000028